(57)【特許請求の範囲】
【請求項１】
方向調整対象アンテナの指向方向を向くように、方向調整対象アンテナに対して取り付けられたスコープと、スコープを通した画像を撮影する第１のカメラと、方向調整対象アンテナの指向方向を向くように、方向調整対象アンテナに対して取り付けられた第２のカメラと、第１のカメラ及び第２のカメラが撮影した画像を表示する画像表示装置とを用いたアンテナ方向調整方法であって、
第２のカメラが撮影する画像を画像表示装置で確認し、対向するアンテナが該画像のほぼ中心に位置するようにアンテナ方向を調整するステップと、
第１のカメラが撮影する画像を画像表示装置で確認し、対向するアンテナが該画像のスコープの中心に位置するようにアンテナ方向を調整するステップと、
を有することを特徴とするアンテナ方向調整方法。
【発明の詳細な説明】
【技術分野】
【０００１】
本発明は、無線装置のアンテナの方向調整に関し、特に、固定無線アクセス（ＦＷＡ：Ｆｉｘｅｄ  Ｗｉｒｅｌｅｓｓ  Ａｃｃｅｓｓ）システム等の、見通し伝播路区間で信号の送受信を行う無線システムに適用可能なアンテナ方向調整冶具及び方法に関する。
【背景技術】
【０００２】
従来のアンテナ方向調整方法としては、アンテナの受信信号レベルをモニタしながら、手動でアンテナの向きを変え、受信信号レベルがピーク値を示す方向をアンテナの向きとして決定する方法が開示されている（例えば、特許文献１参照。）。
【０００３】
また、無線装置のアンテナ指向方向と一致するように固定されたスコープ又は望遠鏡を用いて、対向する無線装置のアンテナがスコープ又は望遠鏡の中心に位置するように調整する方向調整冶具も提案されている（例えば、特許文献２参照。）。
【０００４】
【特許文献１】特開平７−６６６１７号公報
【特許文献２】特開２００４−２５３９２１号公報
【発明の開示】
【発明が解決しようとする課題】
【０００５】
見通し伝播路区間で信号の送受信を行う無線システムにおいて、見通しを確保するためには、アンテナの設置位置をできる限り高くすることが望ましい。このため、アンテナは、例えば、建物の屋上等に設置されたポール等の上部に取付けが行われる。これらポール等の上部に設置されたアンテナの方向調整を行う場合、特許文献２に開示されているスコープ等による目視は、そのアンテナ設置位置から困難である場合が多い。
【０００６】
また、受信レベルをモニタする方法においても、アンテナの近傍にてアンテナを調整する作業者は、その作業位置から、直接受信レベルのモニタをすることが困難な場合が多く、他の作業者がモニタする受信レベルに基づき、両作業者がお互いの状況を連絡しながら作業を行う必要がある。しかしながら、受信レベルと、アンテナ方向の関係を会話により両作業者が理解することは困難であり、方向調整に長時間を要するという問題があった。
【０００７】
従って、本発明は、アンテナが高所に設置されている場合であっても、簡易にアンテナの方向調整を可能とする方向調整冶具及び方法を提供することを目的とする。
【課題を解決するための手段】
【０００８】
本発明におけるアンテナ方向調整冶具によれば、
アンテナに装着可能な形状部分を有する固定部と、固定部に取り付けられ、固定部がアンテナに装着された状態において、該アンテナの指向方向を向くスコープと、固定部に取り付けられ、スコープを通しての画像を撮影する第１のカメラと、固定部に取り付けられ、固定部がアンテナに装着された状態において、該アンテナの指向方向を中心とする画像を撮影する第２のカメラと、第１のカメラ及び第２のカメラが撮影した画像を表示する画像表示装置とを有することを特徴とする。
【０００９】
本発明のアンテナ方向調整冶具における他の実施形態によれば、
画像表示装置は、第２のカメラが有するレンズの画角に基づき計算した垂直角及び／又は水平角の目盛りを、第２のカメラからの画像と合わせて表示することも好ましい。
【００１０】
本発明におけるアンテナ方向調整方法によれば、
方向調整対象アンテナの指向方向を向くように、方向調整対象アンテナに対して取り付けられたスコープと、スコープを通した画像を撮影する第１のカメラと、方向調整対象アンテナの指向方向を向くように、方向調整対象アンテナに対して取り付けられた第２のカメラを用いたアンテナ方向調整方法であって、第２のカメラが撮影する画像のほぼ中心に対向するアンテナが位置するようにアンテナ方向を調整するステップと、第１のカメラが撮影する画像のスコープの中心に対向するアンテナが位置するようにアンテナ方向を調整するステップとを有することを特徴とする。
【発明の効果】
【００１１】
アンテナの指向方向を向くカメラにより、対向する無線装置のアンテナを画像で確認ができ、アンテナが高所に設置されている場合であっても、簡易にアンテナの方向調整が可能となる。また、画像に、カメラのレンズの画角に基づき計算した垂直角及び／又は水平角の目盛りを合わせて表示することでより簡単に方向調整が可能となる。
【発明を実施するための最良の形態】
【００１２】
本発明を実施するための最良の実施形態について、以下では図面を用いて詳細に説明する。
【００１３】
図１は、本発明による方向調整冶具を示す図である。図１によると、方向調整冶具は、スコープ１と、カメラ２と、カメラ３と、バッテリ４と、固定部５と、ポール６と、画像表示装置７と、画像伝送用ケーブル８とを備えている。
【００１４】
固定部５は、無線装置のアンテナに覆いかぶさる形状等、アンテナに簡易に装着できる形状部分を有している。
【００１５】
スコープ１は、固定部５がアンテナに装着された状態においてアンテナの指向方向を向くように固定部５に取り付けられている望遠鏡である。
【００１６】
カメラ２は、スコープ１を通して、アンテナの指向方向の画像を撮影するように固定部５に取り付けられている。また、カメラ２は、撮影した画像を、画像伝送用ケーブル８を用いて画像表示装置７に送信する。尚、画像伝送用ケーブル８を用いた有線伝送に代えて、カメラ２と画像表示装置７間を無線により接続することも可能である。
【００１７】
カメラ３は、例えば、画角として２０°〜３０°以上のレンズ、望ましくは広角レンズを有し、固定部５をアンテナに装着した状態で、アンテナの指向方向を中心とする画像を撮影するように固定部５に取り付けられている。また、カメラ３は、撮影した画像を、画像伝送用ケーブル８を用いて画像表示装置７に送信する。尚、画像伝送用ケーブル８を用いた有線伝送に代えて、カメラ３と画像表示装置７間を無線により接続することも可能である。
【００１８】
バッテリ４は、カメラ２及び３に電力を供給し、固定部５に取り付けられ、ポール６は、好ましくは伸縮可能な構造であり、一端は固定部５に取り付けられる。また、画像表示装置７は、カメラ２及び３が送信する画像を表示する装置である。
【００１９】
図２は、本発明による方向調整冶具を用いたアンテナ方向調整方法のフロー図である。まず、ポール６の長さを調整して、方向調整冶具の固定部５をアンテナに装着する（Ｓ２１）。続いて、カメラ３からの画像を画像表示装置７で確認し、対向する無線装置のアンテナが画像の中心に位置するようにアンテナ方向を調整する。
【００２０】
図３は、カメラ３からの画像の、画像表示装置７での表示画面１０を示す図である。図３の符号１１は、建物の屋上に設置されたポールに取り付けられている対向無線装置のアンテナである。図３に示す様に表示画面１０には角度調整のための目盛りが振られており、この目盛りによりアンテナの調整角度が簡易に理解できるようになっている。これら目盛りは、画像表示装置７が、カメラ３に使用しているレンズの画角等から計算して表示するものである。
【００２１】
例えば、図３の例では約８°、アンテナの向きを上にすれば垂直方向についてはほぼ中心となる。アンテナ側には、図５に示すような角度調整板が取り付けられており、アンテナの向きを、その調整すべき角度だけ変更することが容易なようになっている。尚、図５において符号１２は、方向調整対象のアンテナである。これにより、アンテナの調整を行う作業者と、画像表示装置７をモニタする作業者が異なる場合でも簡易にアンテナ方向の調整が可能となる。
【００２２】
尚、図３の表示画面１０では、簡単のため垂直方向の目盛りのみ表示し、また、図５の角度調整板も垂直方向についての角度を対象とする場合を示しているが、水平方向についても同様である。
【００２３】
続いて、スコープ１を通した画像を撮影するカメラ２からの画像を、画像表示装置７で確認し、対向する無線装置のアンテナがスコープの中心に位置するようにアンテナ方向を調整する（Ｓ２３）。図４は、カメラ２からの画像の、画像表示装置７での表示画面２０を示す図である。スコープ１の方向は、方向調整対象のアンテナの指向方向と一致しているため、対向する無線装置のアンテナがスコープの中心に位置する状態において、方向調整対象であるアンテナの指向方向は、対向無線装置のアンテナが設置されている方向と一致することになる。
【図面の簡単な説明】
【００２４】
【図１】本発明による方向調整冶具を示す図である。
【図２】方向調整冶具を用いたアンテナ方向調整方法のフロー図である。
【図３】カメラからの画像を示す図である。
【図４】スコープを通した画像を撮影するカメラからの画像を示す図である。
【図５】角度調整板を示す図である。
【符号の説明】
【００２５】
１  スコープ
２、３  カメラ
４  バッテリ
５  固定部
６  ポール
７  画像表示装置
８  画像伝送用ケーブル
１０、２０  表示画面
１１  対向無線装置のアンテナ
１２  方向調整対象のアンテナ
【図１】
0004696806.tif 000002
【図２】
0004696806.tif 000003
【図３】
0004696806.tif 000004
【図４】
0004696806.tif 000005
【図５】
0004696806.tif 000006